(57)【要約】【課題】複数の作業を同時に行うことがなく、軸穴に軸を位置合わせする作業に集中できる扉のヒンジ構造を得、扉の取り付け作業性を向上させる。【解決手段】扉１５のヒンジ構造１００において、上部開口枠１１に設けられた軸穴１３ａと、扉１５から突出可能に収容され突出規制部２５ｂの当接によって突出方向の抜けが規制される軸２５と、軸２５を移動自在に保持する収容体２７と、軸２５を突出方向に付勢する付勢手段２９と、支持軸４３を介して扉１５に揺動自在に取り付けられ揺動一端に固設したカム板３９を介して収容体２７が連結されるとともに、扉１５から突出された揺動他端４１ａが扉面と平行に揺動配置されることで付勢手段２９を圧縮して突出規制部２５ｂを当接させるレバー４１と、付勢手段２９が圧縮状態となるようにレバー４１を所定の揺動角度で保持する仮ロック手段４９とを設けた。【選択図】      図１
2008248495.tif 000002
【特許請求の範囲】
【請求項１】
上部開口枠に設けられた軸穴と、
扉上端面から先端部が突出可能に収容され突出規制部の当接によって突出方向の抜けが規制される軸と、
該軸の後端部を軸線方向に移動自在に保持する収容体と、
該収容体と前記軸との間に配設され前記軸を突出方向に付勢する付勢手段と、
上下方向に直交する方向の支持軸を介して前記扉に揺動自在に取り付けられ、揺動一端に固設したカム板を介して前記収容体が連結されるとともに、前記扉から突出された揺動他端が扉面と平行に揺動配置されることで前記付勢手段を圧縮して前記突出規制部を前記当接させるレバーと、
前記扉に設けられ前記上部開口枠から前記軸を介して受ける反力にて前記付勢手段が圧縮状態となるように前記レバーを所定の揺動角度で保持する仮ロック手段と、
を具備したことを特徴とする扉のヒンジ構造。
【請求項２】
前記収容体に前記支持軸と同方向の係合ピンが突設され、
前記カム板には該係合ピンの係合する短辺部と長辺部とからなるへ字状のカム溝が形成され、
前記揺動他端が扉面と平行に揺動配置されることで前記係合ピンが前記カム溝の短辺部に配置されることを特徴とする請求項１記載の扉のヒンジ構造。
【請求項３】
前記軸が、扉の高さに応じた異なる長さで形成されてなることを特徴とする請求項１又は２記載の扉のヒンジ構造。
【発明の詳細な説明】
【技術分野】
【０００１】
本発明は、扉吊元側の上端面から突出する軸を、建物躯体側の上部開口枠に設けられた軸穴に挿入して扉を開閉自在に支持する扉のヒンジ構造に関する。
【背景技術】
【０００２】
建物の開口枠に扉を開閉自在に支持するヒンジ構造には、扉の上端面から突出した軸を、建物躯体側の上部開口枠に設けた軸穴に挿入し、また扉の下端面から突出した軸を、建物躯体側の下部開口枠或いは床面に設けた軸穴に挿入することで扉を開閉自在に支持するものがある。このような扉のヒンジ構造では、一般的に扉上端面から突出する軸が、扉内に引き込み可能な構造を備えている。例えば、扉上端面から突出可能に設けた軸を、付勢手段により突出状態とし、付勢手段に抗して軸先端部を押し込むことで、軸が扉内に後退可能となるヒンジ構造がある（特許文献１参照）。また、軸の後端部がリンク機構等を介して揺動レバーに連結され、扉内に収容状態にある軸が揺動レバーの揺動により、扉上端面から突出配置されるようにしたヒンジ構造もある。
【０００３】
これらのヒンジ構造では、先ず、扉を持ち上げ、扉下部に設けられた下部ヒンジを、下部開口枠の軸穴等に挿入して扉を支持する。次いで、傾斜させた扉上部の突出状態にある軸を、手指により押し込め、或いは揺動レバーを操作することにより扉内に収容し、扉上端面を上部開口枠の下面に対向配置する。付勢手段によって突出されるヒンジ構造では、この段階で軸先端部が上部開口枠の下面を押圧することとなり、扉上部を移動させながら軸先端部を軸穴に探り合わせることで、軸を付勢手段の付勢力により軸穴に嵌入して、扉の取り付けを完了する。また、揺動レバーによるヒンジ構造では、軸と軸穴とが一致したときに、揺動レバーを操作することにより、扉上端面から軸を突出させ、軸穴に挿入することにより扉の取り付けを完了する。
【特許文献１】特開平９−４９３６１号公報
【発明の開示】
【発明が解決しようとする課題】
【０００４】
しかしながら、従来のヒンジ構造は、扉が大重量である場合、扉を両手で持ちながら、軸を押し込めたり、或いは揺動レバーを操作して軸を突出させたりする作業が強いられ、扉が倒れる重さを支えつつ、上部の軸穴位置を探り合わせ、軸と軸穴とが一致したときに軸を繰り出す等、多数の動作を同時に行わなければならず、作業性が悪く、熟練を要する問題があった。また、扉の全高が大きい場合には、突出状態の軸を押し込めたり、高所にある揺動レバーを操作しなければならず、扉の取り付け作業性を一層低下させた。
【０００５】
本発明は上記状況に鑑みてなされたもので、その第１の目的は、複数の作業を同時に行うことがなく、軸穴に軸を位置合わせする作業に集中できる扉のヒンジ構造を提供し、もって、扉の取り付け作業性の向上を図ることを目的とする。また、その第２の目的は、扉の全高に関わらず、扉を容易に取り付けできる扉のヒンジ構造を得ることにある。
【課題を解決するための手段】
【０００６】
次に、上記の課題を解決するための手段を、実施の形態に対応する図面を参照して説明する。
本発明の請求項１記載の扉のヒンジ構造は、上部開口枠１１に設けられた軸穴１３ａと、
扉上端面１５ａから先端部２５ａが突出可能に収容され突出規制部２５ｂの当接によって突出方向の抜けが規制される軸２５と、
該軸２５の後端部２５ｃを軸線方向に移動自在に保持する収容体２７と、
該収容体２７と前記軸２５との間に配設され前記軸２５を突出方向に付勢する付勢手段２９と、
上下方向に直交する方向の支持軸４３を介して前記扉１５に揺動自在に取り付けられ、揺動一端に固設したカム板３９を介して前記収容体２７が連結されるとともに、前記扉１５から突出された揺動他端４１ａが扉面と平行に揺動配置されることで前記付勢手段２９を圧縮して前記突出規制部２５ｂを前記当接させるレバー４１と、
前記扉１５に設けられ前記上部開口枠１１から前記軸２５を介して受ける反力にて前記付勢手段２９が圧縮状態となるように前記レバー４１を所定の揺動角度で保持する仮ロック手段４９と、
を具備したことを特徴とする。
【０００７】
この扉のヒンジ構造では、大重量の扉１５を取り付ける場合、扉上部が傾斜され、先ず、扉下部が下部ヒンジに取り付けられた後、扉１５が鉛直方向に立てられ、扉上端面１５ａが上部開口枠１１の下面に対向配置される。その状態で仮ロック手段４９にてレバー４１が所定の揺動角度に保持されることで、扉上端面１５ａから突出した軸２５の先端部２５ａが付勢手段２９によって、上部開口枠１１の下面に押圧状態となる。これにより、扉重量を支持した下部ヒンジを中心に、扉上部を移動させながら、上部開口枠１１の下面を押圧する軸２５を、軸穴１３ａに位置合わせすることに集中できる。したがって、従来のように、大重量の扉を支えつつ、軸２５と軸穴１３ａとを探り合わせながら、両者が一致したときに軸２５を繰り出す等、多数の作業を同時に行う必要がなくなる。
【０００８】
請求項２記載の扉のヒンジ構造は、前記収容体２７に前記支持軸４３と同方向の係合ピン３７が突設され、
前記カム板３９には該係合ピン３７の係合する短辺部３９ｂと長辺部３９ａとからなるへ字状のカム溝が形成され、
前記揺動他端４１ａが扉面と平行に揺動配置されることで前記係合ピン３７が前記カム溝の短辺部３９ｂに配置されることを特徴とする。
【０００９】
この扉のヒンジ構造では、圧縮状態の付勢手段２９により押し下げられようとする収容体２７がへ字状に傾斜した短辺部３９ｂの下端に落ち込み、収容体２７及び軸２５が後退不能となる。
【００１０】
請求項３記載の扉のヒンジ構造は、前記軸２５が、扉１５の高さに応じた異なる長さで形成されてなることを特徴とする。
【００１１】
この扉のヒンジ構造では、軸２５の先端部２５ａが突出する扉上端面１５ａから、最も操作性の良好な位置にレバー４１が配置可能となり、踏み台等を使用して高所のレバー４１を操作する必要がなくなる。
【発明の効果】
【００１２】
本発明に係る請求項１記載の扉のヒンジ構造によれば、扉上端面から突出可能な軸を移動自在に収容体に保持し、この軸を突出方向に付勢する付勢手段を設け、揺動他端を扉面と平行に揺動配置することで付勢手段を圧縮して突出規制部を当接させるレバーを設け、このレバーを所定の揺動角度で保持する仮ロック手段を備えたので、大重量の扉を取り付ける場合であっても、扉上部を傾斜させ、先ず、扉下部を下部ヒンジに取り付けた後、扉を鉛直方向に立てながら扉上端面を上部開口枠の下面に対向配置し、その状態で仮ロック手段にてレバーを所定の揺動角度に保持することで、扉上端面から突出した軸の先端部を付勢手段によって、上部開口枠の下面に押圧状態とできる。これにより、扉重量を支持した下部ヒンジを中心に、扉上部を移動させながら、上部開口枠の下面を押圧する軸を、軸穴に位置合わせすることに集中でき、大重量の扉を極めて容易に取り付けることができるようになる。
【００１３】
請求項２記載の扉のヒンジ構造によれば、収容体に係合ピンを突設し、この係合ピンの係合する短辺部と長辺部とからなるへ字状のカム溝をカム板に形成し、レバーの揺動他端が扉面と平行に揺動配置されたときに係合ピンがカム溝の短辺部に配置されるようにしたので、圧縮状態の付勢手段により押し下げられようとする収容体が、へ字状に傾斜した短辺部の下端に落ち込むこととなり、収容体及び軸を後退不能にして、軸の突出状態を確実に固定することができる。
【００１４】
請求項３記載の扉のヒンジ構造によれば、軸を扉の高さに応じた異なる長さで形成するので、軸の先端部が突出する扉上端面に対し、最も操作性の良好な床からの位置にレバーを配置することが可能となり、踏み台等を使用して高所のレバーを操作する必要がなくなる。この結果、扉高さにかかわらず、レバーによる操作性、すなわち、軸を突出させるためのレバーの揺動操作性を良好にすることができ、高さのある大型扉の設置も容易なものとなる。
【発明を実施するための最良の形態】
【００１５】
以下、本発明に係る扉のヒンジ構造の好適な実施の形態を図面を参照して詳細に説明する。
図１は本発明に係る扉のヒンジ構造の縦断面図、図２は図１に示したベース板及びケースを扉収容部と共に表した分解斜視図である。
本実施の形態による扉のヒンジ構造１００は、建物躯体の開口部１９に取り付けられる扉１５の吊元側に採用される。開口部１９には縦の開口枠１７が建て込まれ、縦の開口枠１７の上端は上部開口枠１１に接続される。上部開口枠１１の吊元側には軸受１３が埋設され、軸受１３は軸穴１３ａを有している。上部開口枠１１に設けられる軸穴１３ａは、好ましくは、上部開口枠１１の下面と同一平面に開口されている。
【００１６】
扉上端面１５ａの吊元部には扉角部を挟み上端と側端とを開口させた図２に示す収容部５１が設けられ、収容部５１は開口周縁に段部５３を有する。収容部５１にはベース板２１が取り付けられ、ベース板２１は長片部２１ａと短片部２１ｂとからなるＬ字形に折曲される。ベース板２１は、短片部２１ｂに穿設された穴５９に挿通されるビス３３，長片部２１ａに穿設された穴６１に挿通されるビス４５によって、段部５３と嵌合して扉１５に固定される。
【００１７】
ベース板２１によって覆われる収容部５１にはケース２３が収容され、ケース２３は基板に一対の側板を折曲した断面略コ字状に形成される。ケース２３は、一端に折曲された固定板２３ａに穿設される穴６７に挿通されたビス３５がベース板２１の短片部２１ｂのネジ穴５７に螺合されるとともに、両側板に設けられた固定片７１に挿通された不図示のビスがベース板２１の長片部２１ａに螺合されることでベース板２１へ固定される。
【００１８】
ケース２３内にはさらに収容体２７が上下に移動自在となって設けられ、収容体２７は上部が開口し、下部が底板３１ａで閉塞された有底筒状に形成されている。収容体２７の下部には押圧杆３１が一体に垂設され、押圧杆３１の下端には上下方向に直交する方向の係合ピン３７が突設されている。収容体２７の内部には軸２５の後端部２５ｃが収容され、軸２５は軸線方向の中央部に軸外径より大径となって突出する突出規制部としてのフランジ２５ｂを有している。軸２５は、このフランジ２５ｂを境に先端部２５ａと、後端部２５ｃとに分けられている。軸２５の先端部２５ａは、ベース板２１の短片部２１ｂに穿設された挿通穴５５に下方より挿通される。つまり、軸２５は、フランジ２５ｂが短片部２１ｂの下面に当接することで、上方向への抜けが規制される。
【００１９】
収容体２７には後端部２５ｃを収容する収容空間２７ａの上方に、大径部が連設され、その境が段部２７ｂとなる。この大径部には後端部２５ｃに外挿された付勢手段としてのコイルバネ２９が収容され、コイルバネ２９は一端がフランジ２５ｂに当接し、他端が段部２７ｂに当接している。
【００２０】
つまり、軸２５は、扉１５の上端面１５ａから先端部２５ａが突出可能に収容され、フランジ２５ｂの当接によって突出方向の抜けが規制される。また、軸２５は、収容体２７と軸２５との間、すなわち、段部２７ｂとフランジ２５ｂとの間に配設されたコイルバネ２９によって、突出方向に付勢される。
【００２１】
ケース２３の両側板には上下方向に直交し、前記係合ピン３７と同方向の一対の支持軸４３が突設され、支持軸４３にはレバー４１が揺動自在に支持される。レバー４１の揺動一端にはカム板３９が固設され、カム板３９は長辺部３９ａと短辺部３９ｂとからなるへ字状のカム溝を有している。このカム板３９のカム溝には押圧杆３１の係合ピン３７が係合している。つまり、レバー４１の揺動一端は、カム板３９を介して収容体２７に連結されている。レバー４１の揺動他端４１ａは、ベース板２１の長片部２１ａに形成された四角形の開口窓６３から外部へと導出されている。
【００２２】
レバー４１は、揺動他端４１ａが、扉１５の縦方向の端面１５ｂと平行となって接触する位置と、縦方向の端面１５ｂから突出する位置との揺動範囲で揺動自在となる。したがって、揺動他端４１ａが端面１５ｂと平行に配置されれば、カム板３９は上方へ配置され、揺動他端４１ａが端面１５ｂから突出する位置へ配置されれば、カム板３９は下方へ配置される。カム板３９に係合する係合ピン３７は、カム板３９が上方の位置で、短辺部３９ｂに位置し、カム板３９が下方の位置で、長辺部３９ａに位置する。このカム板３９の上下変位により、係合ピン３７を介して収容体２７及び押圧杆３１が上下移動されるようになっている。つまり、レバー４１は、端面１５ｂから突出された揺動他端４１ａが端面１５ｂと平行に揺動配置されることで（図１の状態）、コイルバネ２９を圧縮してフランジ２５ｂを短片部２１ｂの下面に当接させるようになっている。
【００２３】
係合ピン３７は、レバー４１の揺動他端４１ａが扉面（端面１５ｂ）と平行に揺動配置されることで、カム溝の短辺部３９ｂに配置される。これにより、コイルバネ２９の付勢力により押し下げられようとする収容体２７がへ字状に傾斜した短辺部３９ｂの下端に落ち込み、収容体２７及び軸２５が後退不能となる。このように、収容体２７の押圧杆３１に係合ピン３７を突設し、レバー４１の揺動他端４１ａが端面１５ｂと平行に揺動配置されたときに係合ピン３７がカム板３９の短辺部３９ｂに配置されるようにしたので、収容体２７を後退不能にし、軸２５を突出状態に確実に固定することができる。
【００２４】
レバー４１は、不使用時には、揺動他端４１ａに挿通されたビス４２を、ベース板２１の長片部２１ａに設けたネジ穴６５に螺合することで、長片部２１ａと平行に固定されて収納される（図１の状態）。
【００２５】
ケース２３の両側板のそれぞれには突片６９が突設され、突片６９はベース板２１の開口窓６３に挿入される。この一対の突片６９の間には仮ロック手段としての仮ロック板４９が支持され、仮ロック板４９は上縁の両端が回動軸等によって一対の突片６９に支持されている。つまり、仮ロック板４９は、上縁を回動中心に吊下状になり下部が図１の左右方向に揺動自在となる。この仮ロック板４９の下端は、レバー４１の揺動他端４１ａにおける支持軸４３近傍の上面に図８に示すように当接するようになっている。このように揺動他端４１ａが仮ロック板４９の下端に当接したレバー４１は、揺動他端４１ａがそれよりも上方へ揺動されない。
【００２６】
この状態で軸２５は、コイルバネ２９によって同図に示すように突出状態に付勢される。このレバー４１の仮ロック状態は、仮ロック板４９が図６に示すように揺動されることにより解除可能となる。この状態から仮ロック板４９による揺動規制が解除されれば、レバー４１は図６に示すように揺動他端４１ａが上端揺動位置へ移動され、同時に収容体２７が下降されて軸２５が扉１５内に後退することなる。つまり、揺動他端４１ａが上端揺動位置では、軸２５は収納状態となる。つまり、仮ロック板４９は、上部開口枠１１から軸２５を介して受ける反力にてコイルバネ２９が圧縮状態となるように、レバー４１を所定の揺動角度で保持可能としている。
【００２７】
次に、上記した扉のヒンジ構造の扉取り付け手順を説明する。
図３は図１に示したヒンジ構造を備える扉の開口部取り付け前の動作説明図、図４は扉下部を取り付けた状態の動作説明図、図５は下部ヒンジを中心に扉を開いた状態の動作説明図、図６は軸突出前のヒンジ構造の縦断面図、図７は扉上端面を上部開口枠の直下に挿入した状態の動作説明図、図８はレバー仮ロック状態の縦断面図、図９は軸嵌入状態の縦断面図、図１０は軸突出固定状態の縦断面図、図１１は開口枠に取り付け完了した扉の斜視図である。
図３に示すように、ヒンジ構造１００を備えた扉１５を建物開口部１９に取り付けるには、扉１５を両手で持ち、図４に示すように、一旦、扉１５の上部を起こし、扉１５の上部を上部開口枠１１に接近させながら、吊元側の扉下部１５ｃに設けた不図示の下部ヒンジ（例えば軸）を下部開口枠の軸穴に取り付ける。この際、レバー４１は、揺動他端４１ａがビス４２によって長片部２１ａと平行に固定されていてよい。なお、下部ヒンジは、この他、扉下部１５ｃに軸穴が穿設され、下部開口枠に軸が立設される構成であっても良い。
【００２８】
次いで、図５に示すように、扉下部１５ｃを中心に扉１５を回転して開き、ビス４２を除去する。ビス４２の外されたレバー４１は、軸２５、収容体２７の自重によって揺動他端４１ａが図６に示すように、上端揺動位置へ揺動される。この状態で、軸２５の先端部２５ａは扉上端面１５ａから突出することなく扉１５に収容されている。
【００２９】
次いで、図７に示すように、軸２５の突出位置を、上部開口枠１１の下面に対向させて、軸穴１３ａに近い位置に運び、レバー４１を下方へ回転し、軸２５を突出させる。レバー４１が所定位置まで下げられると、図８に示すように、仮ロック板４９がレバー４１の揺動他端４１ａに上方から当接し、揺動他端４１ａの上方向への回転が阻止される。この状態で、コイルバネ２９はフランジ２５ｂと段部２７ｂとに挟まれて、軸２５を突出方向に付勢している。つまり、軸２５の先端部２５ａは、上部開口枠１１の下面を押圧状態とする。
【００３０】
この状態で軸２５と軸穴１３ａとの位置を合わせるように扉１５の上部吊元位置を微調整する。軸２５が軸穴１３ａと一致すると、図９に示すように、コイルバネ２９によって付勢されている軸２５の先端部２５ａが突出し、軸穴１３ａへ挿入される。
【００３１】
次いで、図１０に示すように、レバー４１の揺動他端４１ａをさらに揺動して、ベース板２１の長片部２１ａと平行に接触させ、ビス４２を挿通して長片部２１ａに固定する。レバー４１が固定されると、カム板３９が上端位置に配置され、係合ピン３７が短辺部３９ｂの下端に落ち込んで保持される。また、コイルバネ２９が圧縮状態となり、軸２５は、フランジ２５ｂがベース板２１の短片部２１ｂに当接して進退の移動が規制されて固定状態となる。これにより図１１に示すように扉１５は、開口部１９に設けられた上部開口枠１１、縦の開口枠１７の内側に、開閉自在となって取り付けが完了する。
【００３２】
このヒンジ構造１００では、大重量の扉１５を取り付ける場合、扉上部が傾斜され、先ず、扉下部１５ｃが下部ヒンジに取り付けられた後、扉１５が鉛直方向に立てられ、扉上端面１５ａが上部開口枠１１の下面に対向配置される。その状態で仮ロック板４９にてレバー４１が所定の揺動角度に保持されることで、扉上端面１５ａから突出した軸２５の先端部２５ａがコイルバネ２９によって、上部開口枠１１の下面に押圧状態で維持可能となる。
【００３３】
したがって、上記の扉のヒンジ構造によれば、扉上端面１５ａから突出可能な軸２５を移動自在に収容体２７に保持し、この軸２５を突出方向に付勢するコイルバネ２９を設け、揺動他端４１ａを扉面と平行に揺動配置することでコイルバネ２９を圧縮してフランジ２５ｂを当接させるレバー４１を設け、このレバー４１を所定の揺動角度で保持する仮ロック板４９を備えたので、大重量の扉１５を取り付ける場合であっても、扉上部を傾斜させ、先ず、扉下部１５ｃを下部ヒンジに取り付けた後、扉１５を鉛直方向に立てながら扉上端面１５ａを上部開口枠１１の下面に対向配置し、その状態で仮ロック板４９にてレバー４１を所定の揺動角度に保持することで、扉上端面１５ａから突出した軸２５の先端部２５ａをコイルバネ２９によって、上部開口枠１１の下面に押圧状態とできる。
【００３４】
これにより、従来のように、大重量の扉を支えつつ、突出状態の軸を後退させる操作や、軸と軸穴とを探り合わせながら、両者が一致したときに軸を繰り出す、さらには軸を突出状態に固定する等、多数の作業を同時に行う必要がなく、扉重量を支持した下部ヒンジを中心に、扉上部を移動させながら、上部開口枠１１の下面を押圧する軸２５を、軸穴１３ａに位置合わせすることのみに作業を集中でき、大重量の扉１５を極めて容易に、且つ短時間で取り付けることができる。
【００３５】
図１２は長尺軸を備えたヒンジ構造の変形例を表す要部拡大斜視図である。
なお、上記したヒンジ構造の構成において、軸２５は、扉１５の高さに応じた異なる長さで形成することができる。このような変形例によるヒンジ構造１００Ａによれば、全高が大きい扉１５Ａの場合、軸２５Ａを扉１５Ａの高さに応じ長く形成することで、軸２５Ａの先端部２５Ａａが突出する扉上端面１５ａから、最も操作性の良好な位置、すなわち操作性の良い床面からの高さに、レバー４１や仮ロック板４９を配置することが可能となり、踏み台等を使用して高所のレバーを操作する必要がなくなる。この結果、扉高さにかかわらず、レバー４１による操作性、すなわち、軸２５Ａを突出させるためのレバー４１の揺動操作性を良好にすることができる。そして、このような構成とすることで、作業性が向上し、組み付け施工が容易なものとなる。
【図面の簡単な説明】
【００３６】
【図１】本発明に係る扉のヒンジ構造の縦断面図である。
【図２】図１に示したベース板及びケースを扉収容部と共に表した分解斜視図である。
【図３】図１に示したヒンジ構造を備える扉の開口部取り付け前の動作説明図である。
【図４】扉下部を取り付けた状態の動作説明図である。
【図５】下部ヒンジを中心に扉を開いた状態の動作説明図である。
【図６】軸突出前のヒンジ構造の縦断面図である。
【図７】扉上端面を上部開口枠の直下に挿入した状態の動作説明図である。
【図８】レバー仮ロック状態の縦断面図である。
【図９】軸嵌入状態の縦断面図である。
【図１０】軸突出固定状態の縦断面図である。
【図１１】開口枠に取り付け完了した扉の斜視図である。
【図１２】長尺軸を備えたヒンジ構造の変形例を表す要部拡大斜視図である。
【符号の説明】
【００３７】
１１…上部開口枠
１３ａ…軸穴
１５…扉
１５ａ…扉上端面
２５…軸
２５ａ…先端部
２５ｂ…突出規制部（フランジ）
２５ｃ…軸の後端部
２７…収容体
２９…付勢手段（コイルバネ）
３７…係合ピン
３９…カム板
３９ａ…長辺部
３９ｂ…短辺部
４１…レバー
４１ａ…揺動他端
４３…支持軸
４９…仮ロック手段（仮ロック板）
１００…ヒンジ構造
【図１】
2008248495.tif 000003
【図２】
2008248495.tif 000004
【図３】
2008248495.tif 000005
【図４】
2008248495.tif 000006
【図５】
2008248495.tif 000007
【図６】
2008248495.tif 000008
【図７】
2008248495.tif 000009
【図８】
2008248495.tif 000010
【図９】
2008248495.tif 000011
【図１０】
2008248495.tif 000012
【図１１】
2008248495.tif 000013
【図１２】
2008248495.tif 000014